(57)【要約】【課題】実銃および実銃に使用する薬莢と酷似した形状であり、実銃に似た発射音を発し、銃口から発火・発煙を発生させ、薬莢の装着・排出動作を行うことが可能で、かつ、薬莢が安全に再利用可能な電気着火式の模擬銃の薬莢および該薬莢を使用する模擬銃を提供すること。【解決手段】薬莢１００のアウターケース１１０内をスライド可能で火薬を装填可能なインナー部材１２０が、アウターケース１１０の開口部１１２から一部突出可能な小径部を有する段付き円筒形状に形成されるとともに、導火孔１２４により連通する前方薬室１２２と後方薬室１２３とを有し、底部部材１３０が絶縁部材１３１を介してアウターケース１１０内に嵌合されて、着火部材１４０をインナー部材１２０との間に装填可能に構成したこと。【選択図】図５
2011065225.tif 000002
【特許請求の範囲】
【請求項１】
少なくとも前方が開口し内部に火薬が装填されるケース本体と、前記火薬を電気的に着火する着火部材と、前記ケース本体の後方に装填されて着火部材と電気的に導通する底部部材とを有する電気着火式の模擬銃の薬莢であって、
前記ケース本体が、中空円筒状のアウターケースと、該アウターケース内をスライド可能で火薬を装填可能なインナー部材からなり、
前記アウターケースが、前方にインナー部材の脱落を係止する開口部を有するとともに、後方の外周面に係合溝を有し、
前記インナー部材が、前記アウターケースの開口部から突出可能な小径部を有する段付き円筒形状に形成されるとともに、前方に開口し噴出用火薬が装填される前方薬室と、後方に開口し推進用火薬が装填される後方薬室とを有し、
前記前方薬室と後方薬室とが、導火孔により連通するように形成され、
前記底部部材が、前記アウターケースの後方端部に絶縁部材を介して嵌合可能に形成され、
前記着火部材が、前記インナー部材と前記底部部材の間に装填可能に構成されたことを特徴とする模擬銃の薬莢。
【請求項２】
前記アウターケースが、前方ケースと後方ケースとが着脱可能に嵌合されてなることを特徴とする請求項１に記載の模擬銃の薬莢。
【請求項３】
前記着火部材が、絶縁材料で中空部を有するリング形状に形成され、該中空部を通って両表面に延びる電熱線が設けられるとともに、前記中空部に着火用火薬が装填されることを特徴とする請求項１または請求項２に記載の模擬銃の薬莢。
【請求項４】
前記着火部材と前記インナー部材の間に、前記アウターケースの内径よりわずかに大径の導電体からなり前記着火部材の電熱線と前記アウターケースとを導通する導電補助板が配置されていることを特徴とする請求項４に記載の模擬銃の薬莢。
【請求項５】
銃身の後方に請求項１乃至請求項４のいずれかに記載の模擬銃の薬莢を装填可能で、薬莢を銃身方向にスライドして押圧する遊底を有し、トリガを操作することで薬莢内の火薬に点火可能な電気着火式の模擬銃であって、
前記銃身が、薬莢の先端側に当接する押え部を有するとともに、該押え部から先端部まで貫通する噴出孔を有し、
前記遊底が、薬莢のアウターケースに設けられた係合溝に係合する係合爪と、薬莢が後退した際に薬莢の底部に当接するイジェクタを遊嵌する貫通孔あるいは貫通溝と、前記底部部材から電流を供給する電流供給部材とを有していることを特徴とする模擬銃。
【発明の詳細な説明】
【技術分野】
【０００１】
本発明は、模擬銃および模擬銃の薬莢に係り、特に電気着火式の模擬銃および模擬銃に使用する再利用可能な薬莢に関する。
【背景技術】
【０００２】
従来、模擬銃は実銃と酷似させて製造され、特に、劇映画、ドラマ、演劇等において用いられる場合、使用時の動作をより本物らしく見せるために、外見のみならず、実銃に似た発射音を発したり、銃口から発火・発煙を発生させたり、薬莢の装着・排出動作を行ったりすることが求められている。【０００３】
一方、これらすべての動作を酷似させると同時に、安全面、法規制面から、実弾を発射可能な構造とならないようにする必要があり、最近では電気着火式の模擬銃によって、安全に実銃に似た発射音を発し、銃口から発火・発煙を発生させるものが知られている。【０００４】
例えば、電気着火式の模擬銃として、銃身内に火薬を装填した多数の装薬部材を装着し、トリガを引く毎に電気的に順次一つずつ点火することで、連続的に実銃に似た発射音を発し銃口から発火・発煙を発生させるものが公知である（例えば、特許文献１参照）。
【先行技術文献】
【特許文献】
【０００５】
【特許文献１】米国特許第５３３７７６号明細書（全頁、全図）
【発明の概要】
【発明が解決しようとする課題】
【０００６】
しかしながら、この公知の電気式の模擬銃に使用される装薬部材は実銃に使用する薬莢とは全く異なる形状であり、薬莢の装着・排出動作が模擬できず、また、銃口の形状も実銃とは異なるという問題があった。【０００７】
本発明は、前述したような従来技術の問題を解決するものであって、すなわち、本発明の目的は、実銃および実銃に使用する薬莢と酷似した形状であり、実銃に似た発射音を発し、銃口から発火・発煙を発生させ、薬莢の装着・排出動作を行うことが可能で、かつ、薬莢が安全に再利用可能な電気着火式の模擬銃の薬莢および該薬莢を使用する模擬銃を提供することである。
【課題を解決するための手段】
【０００８】
本請求項１に係る発明は、少なくとも前方が開口し内部に火薬が装填されるケース本体と、前記火薬を電気的に着火する着火部材と、前記ケース本体の後方に装填されて着火部材と電気的に導通する底部部材とを有する電気着火式の模擬銃の薬莢であって、前記ケース本体が、中空円筒状のアウターケースと、該アウターケース内をスライド可能で火薬を装填可能なインナー部材からなり、前記アウターケースが、前方にインナー部材の脱落を係止する開口部を有するとともに、後方の外周面に係合溝を有し、前記インナー部材が、前記アウターケースの開口部から突出可能な小径部を有する段付き円筒形状に形成されるとともに、前方に開口し噴出用火薬が装填される前方薬室と、後方に開口し推進用火薬が装填される後方薬室とを有し、前記前方薬室と後方薬室とが、導火孔により連通するように形成され、前記底部部材が、前記アウターケースの後方端部に絶縁部材を介して嵌合可能に形成され、前記着火部材が、前記インナー部材と前記底部部材の間に装填可能に構成されたことにより、前記課題を解決するものである。【０００９】
本請求項２に係る発明は、請求項１に記載された模擬銃の薬莢の構成に加えて、前記アウターケースが、前方ケースと後方ケースとが着脱可能に嵌合されてなることにより、前記課題をさらに解決するものである。【００１０】
本請求項３に係る発明は、請求項１または請求項２に記載された模擬銃の薬莢の構成に加えて、前記着火部材が、絶縁材料で中空部を有するリング形状に形成され、該中空部を通って両表面に延びる電熱線が設けられるとともに、前記中空部に着火用火薬が装填されることにより、前記課題をさらに解決するものである。【００１１】
本請求項４に係る発明は、請求項４に記載された模擬銃の薬莢の構成に加えて、前記着火部材と前記インナー部材の間に、前記アウターケースの内径よりわずかに大径の導電体からなり前記着火部材の電熱線と前記アウターケースとを導通する金属板が配置されていることにより、前記課題をさらに解決するものである。【００１２】
本請求項５に係る発明は、銃身の後方に請求項１乃至請求項４のいずれかに記載の模擬銃の薬莢を装填可能で、薬莢を銃身方向にスライドして押圧する遊底を有し、トリガを操作することで薬莢内の火薬に点火可能な電気着火式の模擬銃であって、前記銃身が、薬莢の先端側に当接する押え部を有するとともに、該押え部から先端部まで貫通する噴出孔を有し、前記遊底が、薬莢のアウターケースに設けられた係合溝に係合する係合爪と、薬莢が後退した際に薬莢の底部に当接するイジェクタを遊嵌する貫通孔あるいは貫通溝と、前記底部部材から電流を供給する電流供給部材とを有していることにより、前記課題を解決するものである。
【発明の効果】
【００１３】
本請求項１に係る発明の模擬銃の薬莢は、薬莢の後方から底部部材に電流を加えて着火部材によって推進用火薬に着火するとともに導火孔と通じて噴出用火薬にも着火することで実銃に似た発射音を発し、着火した噴出用火薬が薬莢の前方から模擬銃の銃口を通じて噴出することで実銃に似た発火・発煙を発生させ、推進用火薬によりインナー部材とアウターケースがスライドする圧力を発生させ、該圧力によって１回の着火毎に薬莢が後退し模擬銃に排出動作を行わせることができる。
また、アウターケースを実弾と酷似した形状とすることにより、装着・排出の動作も実銃の動作に酷似させることができる。
アウターケースが前方ケースと後方ケースとが着脱可能に嵌合されてなることにより組立が容易になるとともに、使用後の薬莢を分解し、インナー部材に火薬を再装填して再利用することができる。【００１４】
本請求項２に記載の構成によれば、アウターケースが前方ケースと後方ケースとが着脱可能に嵌合されてなることにより組立が容易になるとともに、使用後の薬莢を分解し、インナー部材に火薬を再装填して再利用することができる。【００１５】
本請求項３に記載の構成によれば、着火部材に推進用火薬への着火用に発火しやすい火薬を少量独立して装填することができるため、推進用火薬を安全なものとすることができ、薬莢の組立、再利用時の安全性がより向上する。【００１６】
本請求項４に記載の構成によれば、アウターケースの内面にすす等の汚れが残っていても、アウターケースの内径より大径の金属板を挿入することで電熱線とアウターケースとの導通を確実に行うことができるため、着火部材を確実に点火することができ、薬莢の組立、再利用時のアウターケースの内面の清掃不足による点火ミスを防止することができる。【００１７】
本請求項５に係る発明の模擬銃は、薬莢の後方から底部部材に電流を加えて着火部材によって推進用火薬に着火するとともに導火孔と通じて噴出用火薬にも着火することで実銃に似た発射音を発し、着火した噴出用火薬が噴出孔を通じて銃身の先端から噴出することで実銃に似た発火・発煙を発生させ、インナー部材を押え部に当接させることで推進用火薬により薬莢を後退させることで遊底を後退させ、遊底の後退によりイジェクタと係合爪によって薬莢を係合爪側の側方に排出することができ、実銃の動作に酷似させることができる。
【図面の簡単な説明】
【００１８】
【図１】本発明の一実施例である模擬銃の薬莢の分解平面図。
【図２】本発明の一実施例である模擬銃の薬莢の組立断面図。
【図３】本発明の一実施例である模擬銃の薬莢の着火部材の拡大斜視図。
【図４】本発明の一実施例である模擬銃の一部分解側面図。
【図５】本発明の一実施例である模擬銃への薬莢装着時の説明図。
【図６】本発明の一実施例である模擬銃および薬莢の着火直後の動作説明図。
【図７】図６のさらに後の動作説明図。
【図８】図７のさらに後の動作説明図。
【図９】図８の後の薬莢排出時の動作説明図。
【図１０】本発明の他の実施例である模擬銃と薬莢の通電部分の拡大説明図。
【図１１】本発明の他の実施例である模擬銃の押え部と薬莢の拡大説明図。
【図１２】本発明の他の実施例である模擬銃の薬莢の組立断面図。
【図１３】本発明の他の実施例である模擬銃の薬莢の金属板の拡大斜視図。
【発明を実施するための形態】
【００１９】
本発明の模擬銃の薬莢は、少なくとも前方が開口し内部に火薬が装填されるケース本体と、火薬を電気的に着火する着火部材と、ケース本体の後方に装填されて着火部材と電気的に導通する底部部材とを有する電気着火式の模擬銃の薬莢であって、ケース本体が中空円筒状のアウターケースと、該アウターケース内をスライド可能で火薬を装填可能なインナー部材からなり、アウターケースが前方にインナー部材の脱落を係止する開口部を有するとともに、後方の外周面に係合溝を有し、インナー部材がアウターケースの開口部から突出可能な小径部を有する段付き円筒形状に形成されるとともに、前方に開口し噴出用火薬が装填される前方薬室と、後方に開口し推進用火薬が装填される後方薬室とを有し、前方薬室と後方薬室とが導火孔により連通するように形成され、底部部材がアウターケースの後方端部に絶縁部材を介して嵌合可能に形成され、着火部材がインナー部材と底部部材の間に装填可能に構成されており、電気着火式の模擬銃で使用可能で、実銃に使用する薬莢と酷似した形状であり、実銃に似た発射音を発し、模擬銃の銃口から発火・発煙を発生させ、模擬銃への装着・排出動作を行うことが可能で、かつ、安全に再利用可能であれば、その具体的な実施態様は如何なるものであっても何ら構わない。
【００２０】
また、本発明の模擬銃は、銃身の後方に請求項１乃至請求項４のいずれかに記載の模擬銃の薬莢を装填可能で、薬莢を銃身方向にスライドして押圧する遊底を有し、トリガを操作することで薬莢内の火薬に点火可能な電気着火式の模擬銃であって、銃身が、薬莢の先端側に当接する押え部を有するとともに、該押え部から先端部まで貫通する噴出孔を有し、遊底が、薬莢のアウターケースに設けられた係合溝に係合する係合爪と、薬莢が後退した際に薬莢の底部に当接するイジェクタを遊嵌する貫通孔あるいは貫通溝と、底部部材から電流を供給する電流供給部材とを有し、実銃と酷似した形状であり、実銃に似た発射音を発し、銃口から発火・発煙を発生させ、薬莢の装着・排出動作を行うことが可能であれば、その具体的な実施態様は如何なるものであっても何ら構わない。
【実施例】
【００２１】
以下に、本発明の一実施例である模擬銃の薬莢について図面に基づいて説明する。
本発明の実施例である模擬銃の薬莢１００は、図１、図２に示すように、中空円筒状のアウターケース１１０と、該アウターケース１１０内をスライド可能で火薬を装填可能なインナー部材１２０とを有している。【００２２】
アウターケース１１０は、前方ケース１１１と後方ケース１１３とがネジ結合により着脱可能に嵌合されており、前方ケース１１１の前方には縮径された開口部１１２が設けられ、後方ケース１１３の後方には縮径された底部縮径開口部１１５が設けられ、その外周面には係合溝１１４が設けられている。【００２３】
インナー部材１２０の外形は段付きの円筒形状に形成され、前後方向の中間に設けられた段部１２１の前方側が前方ケース１１１の開口部１１２から突出可能な小径部に形成され、段部１２１の後方側がアウターケース１１０の中空内径とほぼ同一径で摺動する大径部に形成されている。【００２４】
なお、前方ケース１１１は開口部１１２のみの短いものであっても良く、アウターケース１１０を開口部まで一体のものとし、開口部から内方にインナー部材１２０の大径部を係止して突出を阻止するピン等の部材を着脱可能に設けても良い。【００２５】
大径部の外周面には円周溝１２５が設けられＯリング１２６が装着されており、インナー部材とアウターケースの寸法精度を高めることなく推進用火薬が発生する圧力を逃さずスライドのための圧力として使用でき、安価に製造できるとともに、着火によりインナー部材とアウターケースのスライド部表面に汚損等があっても安価なＯリンクのみを交換することで再利用可能となり、再利用の回数を増大させることができる。
なお、円周溝１２５およびＯリング１２６は、必要に応じて設ければ良い。【００２６】
また、インナー部材１２０には、前方に開口し噴出用火薬が装填される前方薬室１２２と、後方に開口し推進用火薬が装填される後方薬室１２３が設けられ、前方薬室１２２と後方薬室１２３とは小径の導火孔１２４により連通するように形成されている。
なお、インナー部材１２０のアウターケース１１０内でのスライド量、すなわち、大径部の長さは、推進用火薬の圧力によって模擬銃への装着・排出動作を行うことができる範囲で適宜選択することができる。【００２７】
後方ケース１１３の後方の縮径された底部縮径開口部１１５には、底部部材１３０が絶縁部材１３１を介して嵌合され、着火部材１４０がインナー部材１２０と底部部材１３０の間に挟まれて固定装填可能に構成されている。【００２８】
着火部材１４０は、絶縁材料で中空部１４１を有するリング形状に形成され、図３に示すように、中空部１４１を通って両表面に延びる電熱線１４２が設けられるとともに、中空部１４１に着火用火薬が装填される。【００２９】
着火部材１４０の装着時に前方に位置する表面は、電熱線１４２が外周まで伸びるとともに、装着時に後方に位置する表面は、外周に段部が形成され、電熱線１４２が段部の手前まで伸びており、底部部材１３０から電熱線１４２を通ってアウターケース１１０に至る電気回路が絶縁部材１３１に絶縁されて形成される。【００３０】
なお、電熱線１４２は断線や導通不良等による着火ミスを防止するため、必要に応じて放射方向に複数本設けても良い。
また、図１２に示すように、着火部材１４０の装着時に前方に位置する表面の電熱線１４２とアウターケース１１０の電気的導通をより良くし、薬莢の組立、再利用時のアウターケース１１０の内面の清掃不足による点火ミスを防止するために、着火部材１４０の前方のインナー部材１２０との間に、図１３に示すような、アウターケース１１０の内径より大径に形成された銅等の薄い金属板１４３を装着することで、電熱線１４２とアウターケース１１０との電気的な導通を確実に行うようにしても良い。【００３１】
次に、本発明の一実施例である模擬銃について図面に基づいて説明する。
本発明の実施例である模擬銃２００は、図４に示すように、銃身２２０の後方に薬莢１００を装填可能に構成され、薬莢１００の装填部の後方には遊底２１０を有しており、遊底２１０が押圧ばね２０４により銃身２２０方向にスライドして薬莢１００を銃身２２０に押圧するように構成されている。【００３２】
銃身２２０には、図５に示すように、薬莢１００の前方ケース１１１に設けられた縮径開口部１１２を越えてインナー部材１２０の先端に当接する押え部２２１を有するとともに、押え部２２１から先端部まで貫通する噴出孔２２２を有している。【００３３】
遊底２１０には、薬莢１００の後方ケース１１３に設けられた係合溝１１４に係合する係合爪２１４と、薬莢１００が後退して遊底２１０が後方にスライドした際に薬莢１００の底部に当接するイジェクタ２１２を遊嵌する貫通溝２１３と、薬莢１００の底部部材１３０に接して電圧を印加する電流供給部材２１１とを有している。
電流供給部材２１１は遊底２１０内で薬莢１００の底部に向けて押圧されており、途中に設けられた段部によって、薬莢１００が無い状態で遊底２１０からわずかに突出するように規制されている。【００３４】
また、模擬銃２００にはトリガ２０１の操作を検出するスイッチ２０２が設けられており、電流発生装置２０３がスイッチ２０２の信号を受けて接点部材２１１に電圧を印加して着火用火薬の爆発に必要な電流を流すように構成されている。【００３５】
なお、機械的あるいは電気的にトリガ２０１の一回の操作によってスイッチ２０２から一度のみ電流発生装置２０３に信号を供給するようにしたり、電流発生装置２０３がスイッチ２０２の信号が一定時間途切れるまでは一度のみしか電流を発生しないようにすることで、トリガ２０１を握り続けても連続して発射動作が行われないよう構成されている。
さらに、模擬銃２００には薬莢１００が火薬の爆発後に側方に排出された後、連続的に新たな薬莢を下方から供給するマガジン２０５が設けられている。【００３６】
以上のように構成された模擬銃２００および模擬銃の薬莢１００の動作について以下に説明する。
まず、薬莢１００が模擬銃２００に図５に示すように装填された状態で電流供給部材２１１に電圧が印加されると、底部部材１３０、着火部材１４０の電熱線１４２を通って後方ケース１１３へと電流が流れ、着火部材１４０の中空部１４１に装填された着火用火薬に点火される。【００３７】
着火用火薬が点火すると、ほぼ瞬時に隣接するインナー部材１２０の後方薬室１２３に装填された推進用火薬、さらに導火孔１２４を通じてインナー部材１２０の前方薬室１２２に装填された噴出用火薬が着火して実銃に似た発射音を発する。【００３８】
インナー部材１２０の前方薬室１２２に装填された噴出用火薬は、銃身２２０の噴出孔２２２を通って銃口から噴出して実銃に似た発火・発煙を発生させると同時に、図６に示すように、インナー部材１２０の後方薬室１２３に装填された推進用火薬の爆圧により薬莢１００のインナー部材１２０以外の部分が後方に推進され、該薬莢１００の推進力により押圧ばね２０４の押圧力に抗して遊底２１０を後方にスライドさせる。【００３９】
さらに、薬莢１００のインナー部材１２０以外の部分が後方に推進されると、図７に示すように、インナー部材１２０の段部１２１と前方ケース１１１の縮径開口部１１２が当接し、インナー部材１２０と薬莢１００のインナー部材１２０以外の部分の相対移動が完了する。【００４０】
しかしながら、薬莢１００が後方に推進される速度は減少しながらも持続するため、図８に示すように、薬莢１００はインナー部材１２０も含めてさらに後方に推進されて、さらに遊底２１０を後方にスライドさせる。
一方、遊底２１０の貫通溝２１３に遊嵌されているイジェクタ２１２は、遊底２１０とは独立して位置が固定されており、相対的に薬莢１００の底部に接近して図８の状態で接触する。【００４１】
そして、さらに薬莢１００が後退すると、図９に示すように、イジェクタ２１２は遊底２１０から前方に突出し、薬莢１００の底部の側方で薬莢１００の後退を阻止する。
このとき、遊底２１０に設けられた係合爪２１４が薬莢１００の後方ケース１１３に設けられた係合溝１１４に係合しているとともに、さらに薬莢１００が後方に推進される速度が持続しているため、薬莢１００には係合爪２１４側に回転モーメントが発生し、側方に排出されることとなる。【００４２】
薬莢１００が側方から排出されると、遊底２１０が後方にスライドした状態から押圧ばね２０４の押圧力によって再度前方にスライドして戻ることとなるが、このタイミングで、図４に示す下方のマガジン２０５から新たな薬莢１００が上昇し、遊底２１０が押圧ばね２０４によって再度前方にスライドする際に、マガジン２０５の最上部の薬莢１００を前方に押し出して、図５に示す装填位置に新たな薬莢１００がセットされ、再び、トリガ２０１を操作して発射動作を行うことが可能となる。【００４３】
以上のように、本発明は、実銃および実銃に使用する薬莢と酷似した形状であり、実銃に似た発射音を発し、銃口から発火・発煙を発生させ、薬莢の装着・排出動作を行うことが可能な電気着火式の模擬銃および模擬銃の薬莢を提供することができる。【００４４】
また、薬莢１００は分解可能であり、インナー部材および着火部材に火薬を再装填することで繰り返し使用可能で経済的な模擬銃の薬莢を提供することができる。
なお、着火部材については、安価な絶縁材料で構成されること、電熱線が着火毎に断線する可能性が高いこと、中空部に装填する着火用火薬の爆発性が高く慎重に取り扱う必要があることから、着火部材のみを１回使用毎に廃棄するようにしても良い。
また、他の構成部材も経済的な問題がなければ、すべて１回使用毎に廃棄するようにしても良く、その場合、アウターケース１１０を開口部まで一体のものとし、開口部を内方に変形させてインナー部材１２０の大径部を係止するようにしても良い。【００４５】
なお、本発明の模擬銃の薬莢は、上記実施例以外の構造の模擬銃に使用することも可能であり、例えば、回転式の弾倉を備えた、いわゆるリボルバータイプの模擬銃に使用しても良く、複数の薬莢を強制的に供給するマシンガンタイプの模擬銃に使用しても良い。【００４６】
本発明の模擬銃の薬莢は、インナー部材に火薬を装填して繰り返し使用することが可能なため、前記のリボルバータイプやマシンガンタイプのように、推進用火薬の圧力による排出アクションを必要としない模擬銃に用いる場合は、推進用火薬の薬量を減らしたり、爆発力の小さなものとすることも可能である。【００４７】
また、着火部材１４０への電流の供給は、例えば、図１０に示すように、薬莢１００の底部にフェライトコア、鉄心等に巻回された受電コイル３３１を有する無接点底部部材３３０を備えるとともに、模擬銃２００の遊底２１０にフェライトコア、鉄心等に巻回された給電コイル４１２有する無接点電流供給部材４１１を備え、給電コイル４１２に電流発生装置２０３から高周波の交流を供給することにより受電コイル３３１に電流を発生させることで、遊底２１０から薬莢１００に対して無接点で給電を行うようにしても良い。【００４８】
無接点底部部材３３０の受電コイル３３１の導線の、一方が着火部材側通電板３３２、他方が薬莢側通電板３３３に接続されることにより、薬莢側通電板３３３から着火部材１４０の電熱線１４２を通って後方ケース１１３へと電流が流れて、着火部材１４０の中空部１４１に装填された着火用火薬に点火される。【００４９】
このことで、無接点底部部材３３０と無接点電流供給部材４１１の表面が煤等の汚れが付着しても通電不良となることがなく、連続発射動作の際にも発射不良を起こすことなく、メンテナンス性も向上することができる。【００５０】
さらに、着火部材１４０にもコイル状の配線を施し、無接点底部部材３３０の両側にコイルを備えて、着火部材１４０、底部部材１３０ともに内部で電流導通経路を完結させることによって、完全に無接点としても良く、そうすることで、さらにメンテナンス性が向上し発射動作の不良を低減することができる。【００５１】
また、上記実施例では、模擬銃２００の押え部２２１が薬莢１００のアウターケース１１０に設けられた開口部１１２を越えてインナー部材１２０の先端に当接する凸状の形状に形成されているが、アウターケース１１０の先端にのみ当接する凸状部のない形状とし、火薬の点火によりインナー部材１２０がある程度前方に推進された後に押え部２２１に当接して薬莢１００が遊底を後方に推進するようにしても良い。【００５２】
また、図１１に示すように、薬莢５００を、インナー部材を省略しアウターケース５１０の前方ケース５１１が後方ケース５１３内部まで伸びて着火部材５４０を押さえ、前方ケース５１１内に火薬を詰める構造とし、模擬銃を、噴出孔の途中に小径部を設ける構造とすることによって、模擬銃の噴出孔から前方に噴出される火薬の噴出圧力の一部が薬莢５００を遊底を後方に推進する圧力とすることができ、前述と同様に薬莢の装着・排出動作を行うことが可能な電気着火式の模擬銃および模擬銃の薬莢を提供することができる。
【符号の説明】
【００５３】
１００  ・・・薬莢
１１０  ・・・アウターケース
１１１  ・・・前方ケース
１１２  ・・・縮径開口部
１１３  ・・・後方ケース
１１４  ・・・係合溝
１１５  ・・・底部縮径開口部
１２０  ・・・インナー部材
１２１  ・・・段部
１２２  ・・・前方薬室
１２３  ・・・後方薬室
１２４  ・・・導火孔
１２５  ・・・円周溝
１２６  ・・・Ｏリング
１３０  ・・・底部部材
１３１  ・・・絶縁部材
１４０  ・・・着火部材
１４１  ・・・中空部
１４２  ・・・電熱線
１４３  ・・・金属板
２００  ・・・模擬銃
２０１  ・・・トリガ
２０２  ・・・スイッチ
２０３  ・・・電流発生装置
２０４  ・・・押圧ばね
２０５  ・・・マガジン
２１０  ・・・遊底
２１１  ・・・電流供給部材
２１２  ・・・イジェクタ
２１３  ・・・貫通溝
２１４  ・・・係合爪
２２０  ・・・銃身
２２１  ・・・押え部
２２２  ・・・噴出孔
３３０  ・・・無接点底部部材
３３１  ・・・受電コイル
３３２  ・・・着火部材側通電板
３３３  ・・・薬莢側通電板
４１１  ・・・無接点電流供給部材
４１２  ・・・給電コイル
５００  ・・・薬莢（インナー部材のないタイプ）
５１０  ・・・アウターケース
【図１】
2011065225.tif 000003
【図２】
2011065225.tif 000004
【図３】
2011065225.tif 000005
【図４】
2011065225.tif 000006
【図５】
2011065225.tif 000007
【図６】
2011065225.tif 000008
【図７】
2011065225.tif 000009
【図８】
2011065225.tif 000010
【図９】
2011065225.tif 000011
【図１０】
2011065225.tif 000012
【図１１】
2011065225.tif 000013
【図１２】
2011065225.tif 000014
【図１３】
2011065225.tif 000015
【国際調査報告】
2011065225.tif 000016
2011065225.tif 000017
2011065225.tif 000018
2011065225.tif 000019